(57)【要約】      （修正有）【課題】車椅子を自動車のトランクルーム内に折畳状態で容易に積み込むことができる車椅子搭載補助具を提供する。【解決手段】車椅子を自動車のトランクルーム内に折畳状態で搭載する際に用いられ、折畳状態の車椅子の側部に着脱自在に添着可能な保持枠体２からなり、保持枠体に車椅子の横倒状態においてトランクルームの後壁部の頂部に摺接可能な摺接部４及び保持枠体を車椅子の横倒状態で持ち上げ可能な持上部として、吊下紐５ａが設けられている。【選択図】図１
0003164672.tif 000002
【実用新案登録請求の範囲】
【請求項１】
車椅子を自動車のトランクルーム内に折畳状態で搭載する際に用いられ、上記折畳状態の車椅子の側部に着脱自在に添着可能な保持枠体からなり、該保持枠体に該車椅子の横倒状態において上記トランクルームの後壁部の頂部に摺接可能な摺接部及び該保持枠体を該車椅子の横倒状態で吊下状に持ち上げ可能な持上部が設けられていることを特徴とする車椅子搭載補助具。
【請求項２】
上記摺接部として、上記保持枠体に上記トランクルームの後壁部の頂部に摺接可能な二個の摺接部材を並列状に設けてなることを特徴とする請求項１記載の車椅子搭載補助具。
【請求項３】
上記持上部として、上記保持枠体に吊下紐を設けてなることを特徴とする請求項１又は２記載の車椅子搭載補助具。
【考案の詳細な説明】
【技術分野】
【０００１】
本考案は、例えば、電動車椅子を自動車のトランクルーム内に搭載する際に用いられる車椅子搭載補助具に関するものである。
【背景技術】
【０００２】
この種の車椅子搭載補助具として、トランクルーム内に電動シリンダ及びリンク機構からなる車椅子吊上機構を設置し、車椅子の積み込みと取り出しを行うようにした構造が知られている。
【先行技術文献】
【特許文献】
【０００３】
【特許文献１】特許第３４４６５８９号
【考案の概要】
【考案が解決しようとする課題】
【０００４】
しかしながら上記従来構造の場合、トランクルーム内に電動シリンダ及びリンク機構からなる車椅子吊上機構を設置する構造のため、複雑な構造となって製作コストが高くなると共にトランクルーム内への設置作業は業者に頼らざるを得ず、一般大衆への普及の隘路になることがあるという不都合を有している。
【課題を解決するための手段】
【０００５】
本考案はこれらの不都合を解決することを目的とするもので、本考案のうちで、請求項１記載の考案は、車椅子を自動車のトランクルーム内に折畳状態で搭載する際に用いられ、上記折畳状態の車椅子の側部に着脱自在に添着可能な保持枠体からなり、該保持枠体に該車椅子の横倒状態において上記トランクルームの後壁部の頂部に摺接可能な摺接部及び該保持枠体を該車椅子の横倒状態で吊下状に持ち上げ可能な持上部が設けられていることを特徴とする車椅子搭載補助具にある。
【０００６】
又、請求項２記載の考案は、上記摺接部として、上記保持枠体に上記トランクルームの後壁部の頂部に摺接可能な二個の摺接部材を並列状に設けてなることを特徴とするものであり、又、請求項３記載の考案は、上記持上部として、上記保持枠体に吊下紐を設けてなることを特徴とするものである。
【考案の効果】
【０００７】
本考案は上述の如く、請求項１記載の考案にあっては、車椅子を自動車のトランクルーム内に折畳状態で搭載するに際し、折畳状態の車椅子の側部に保持枠体を添着し、保持枠体に設けた持上部により保持枠体及び車椅子を車椅子の横倒状態であって保持枠体の上方に車椅子が配置した状態にして持ち上げ、保持枠体及び車椅子を持ち上げてトランクルームの後壁部の頂部に摺接部を載置し、摺接部を後壁部の頂部に摺接させながら保持枠体及び車椅子をトランクルーム内に入れ込み、持上部により保持枠体及び横倒状態で車椅子をトランクルーム内に収納することになり、従って、保持枠体に折畳状態の車椅子を添着して、保持枠体に設けた摺接部とトランクルームの後壁部の頂部との摺接並びに持上部により車椅子をトランクルーム内に容易に積み込むことができると共にトランクルーム内から車椅子を容易に取り出すことができ、電動シリンダやリンク機構を有せずに簡易な構造であり、軽量化を図ることができると共に製作コストを低減することができ、かつ、車椅子使用時においては、保持枠体を着脱機構により取り外すことができ、車椅子を使用する上で支障になることはない。
【０００８】
又、請求項２記載の考案にあっては、この場合、上記摺接部として、上記保持枠体に上記トランクルームの後壁部の頂部に摺接可能な二個の摺接部材を並列状に設けてなるから、トランクルームの後壁部の頂部との摺接を安定的かつ円滑に行うことができ、トランクルームに対する車椅子の積み込みと取り出しを容易に行うことができ、又、請求項３記載の考案にあっては、上記持上部として、上記保持枠体に吊下紐を設けてなるから、保持枠体及び車椅子を容易に持ち上げることができ、車椅子の積み込みと取り出しを一層容易に行うことができる。
【図面の簡単な説明】
【０００９】
【図１】本考案の実施の形態例の全体斜視図である。
【図２】本考案の実施の形態例の全体平面図である。
【図３】本考案の実施の形態例の使用状態の全体平面図である。
【図４】本考案の実施の形態例の使用状態の全体側面図である。
【図５】本考案の実施の形態例の使用状態の部分断面図である。
【図６】本考案の実施の形態例の使用状態の部分斜視図である。
【図７】本考案の実施の形態例の使用状態の部分斜視図である。
【考案を実施するための形態】
【００１０】
図１乃至図７は本考案の実施の形態例を示し、１は車椅子、この場合、電動車椅子であって、図１の如く、折畳可能なフレーム１ａに座部、肘掛け部、背当部及び足載せ部、前輪、後輪などの走行機構部に加え、バッテリー、充電器、操作機構などの電動駆動部を備えて構成している。
【００１１】
２は保持枠体であって、上記車椅子１の側部に着脱機構３により着脱自在に添着可能に形成され、この保持枠体２に車椅子１の横倒状態において自動車ＷのトランクルームＲの後壁部Ｒ１の頂部Ｒ２に摺接可能な摺接部４及び保持枠体２を車椅子１の横倒状態で吊下状に持ち上げ可能な持上部５が設けられている。尚、着脱機構３として、数個の面ファスナ３ａを用いているが、スナップ構造やフック構造などの他の構造を用いることもでき、又、この車椅子１と保持枠体２との着脱部位については、車椅子１の形状、重心等を考慮して適宜選択される。
【００１２】
この場合、上記保持枠体２は対向一対の縦桟杆２ａ・２ａ間に対向一対の横桟杆２ｂ・２ｂを架設して四角枠状に形成され、又、この場合、上記摺接部４として、上記保持枠体２に上記トランクルームＲの後壁部Ｒ１の頂部Ｒ２に摺接可能な二個の摺接部材４ａを並列状に設け、この摺接部材４ａ・４ａの先端部は次第に上方に登り上がるそり状部４ｂ・４ｂに形成され、かつ、図５の如く、摺接部材４ａ・４ａの摺接部分には滑走部材として合成樹脂製からなる摺接面板４ｃ・４ｃが設けられている。
【００１３】
又、この場合、上記持上部５として、上記保持枠体２に吊下紐５ａ及び持手杆５ｂを設けて構成している。
【００１４】
この実施の形態例は上記構成であるから、車椅子１を自動車ＷのトランクルームＲ内に折畳状態で搭載するに際し、図６の如く、トランクカバーＷ１を開いてトランクルームＲを開口し、折畳状態の車椅子１の側部に保持枠体２を添着し、保持枠体２に設けた持上部５により保持枠体２及び車椅子１を車椅子１の横倒状態であって保持枠体２の上方に車椅子１が配置した状態にして持ち上げ、図７の如く、保持枠体２及び車椅子１を持ち上げてトランクルームＲの後壁部Ｒ１の頂部Ｒ２に摺接部４を載置し、摺接部４を後壁部Ｒ１の頂部Ｒ２に摺接させながら保持枠体２及び車椅子１をトランクルームＲ内に入れ込み、持上部５により保持枠体２及び横倒状態で車椅子１をトランクルームＲ内に収納することになる。
【００１５】
従って、保持枠体２に折畳状態の車椅子１を添着して、保持枠体２に設けた摺接部４とトランクルームＲの後壁部Ｒ１の頂部Ｒ２との摺接並びに持上部５により車椅子１をトランクルームＲ内に容易に積み込むことができると共にトランクルームＲ内から車椅子１を容易に取り出すことができ、電動シリンダやリンク機構を有せずに簡易な構造であり、軽量化を図ることができると共に製作コストを低減することができ、かつ、車椅子使用時においては、保持枠体２を着脱機構３により取り外すことができ、車椅子を使用する上で支障になることはない。
【００１６】
又、この場合、上記摺接部４として、上記保持枠体２に上記トランクルームＲの後壁部Ｒ１の頂部Ｒ２に摺接可能な二個の摺接部材４ａ・４ａを並列状に設けてなるから、トランクルームＲの後壁部Ｒ１の頂部Ｒ２との摺接を安定的かつ円滑に行うことができ、トランクルームＲに対する車椅子１の積み込みと取り出しを容易に行うことができ、又、この場合、上記持上部５として、上記保持枠体２に吊下紐５ａを設けてなるから、保持枠体２及び車椅子１を容易に持ち上げることができ、車椅子１の積み込みと取り出しを一層容易に行うことができる。
【００１７】
尚、本考案は上記実施の形態例に限られるものではなく、車椅子の種類や構造、保持枠体２、着脱機構３、摺接部４、持上部５の構造等は適宜変更して設計されるものである。
【００１８】
以上、所期の目的を充分達成することができる。
【符号の説明】
【００１９】
Ｗ    自動車
Ｒ    トランクルーム
Ｒ１    後壁部
Ｒ２    頂部
１    車椅子
２    保持枠体
４    摺接部
４ａ    摺接部材
５    持上部
５ａ    吊下紐
【図１】
0003164672.tif 000003
【図２】
0003164672.tif 000004
【図３】
0003164672.tif 000005
【図４】
0003164672.tif 000006
【図５】
0003164672.tif 000007
【図６】
0003164672.tif 000008
【図７】
0003164672.tif 000009